(57)【要約】【課題】カメラ内の測定温度が上昇しても、可能な限り動画記録を継続できるようにした撮像装置を提供する。【解決手段】撮像装置は、撮像装置の筐体内温度を検出する温度検出部と、記録画像の画質を決定する複数の記録方式の中の一つの記録方式に基づいて動画像データを生成して記録媒体に記録する動画記録部と、動画記録部に対して設定する記録方式を制御する制御部とを備える。制御部は、温度検出部による検出結果に応じて、動画記録部に設定する記録方式を変更する。【選択図】図７
2012165373.tif 000002
【特許請求の範囲】
【請求項１】
動画像を記録可能な撮像装置であって、
撮像装置の筐体内温度を検出する温度検出部と、
記録画像の画質を決定する複数の記録方式の中の一つの記録方式に基づいて動画像データを生成して記録媒体に記録する動画記録部と、
前記動画記録部に対して設定する記録方式を制御する制御部とを備え、
前記制御部は、前記温度検出部による検出結果に応じて、前記動画記録部に設定する記録方式を変更する、
撮像装置。
【請求項２】
前記制御部は、前記動画記録部が動画像データの記録動作中において、前記温度検出部の検出結果に応じて、前記動画記録部に設定する記録方式を変更する、
請求項１に記載の撮像装置。
【請求項３】
前記制御部は、前記動画記録部が動画像データの記録動作を開始する時に、前記温度検出部の検出結果に応じて、前記動画記録部に設定する記録方式を変更する、
請求項１又は２に記載の撮像装置。
【請求項４】
表示部をさらに備え、
前記制御部は、前記記録方式を変更する前に、ユーザに対して前記記録方式の変更を提案する表示を前記表示部に表示させる、
請求項１から３のいずれかに記載の撮像装置。
【発明の詳細な説明】
【技術分野】
【０００１】
本発明は撮像装置に関し、特に動画記録が可能な撮像装置に関する。
【背景技術】
【０００２】
光学系を介して形成された被写体像を撮像して画像データを生成する撮像センサを搭載したデジタルカメラが普及している。撮像センサは、電力を消費して画像データ生成のための各種処理動作を行う。撮像センサは各種処理動作を行う際に発熱する。特に、動画記録処理のように長時間継続して動作する場合、発熱により、撮像センサや画像処理エンジンの温度上昇がより顕著になる。
【０００３】
このような撮像装置内の温度上昇により、撮像センサの出力に顕著なノイズが混在するようになったり、ユーザがカメラ筐体を把持するのに支障が生じたり、カメラ本体や構成部品が変形してしまったりするという問題が生じ得る。近年、デジタルカメラの小型化に伴い、撮像センサの熱対策が課題になっている。
【０００４】
撮像センサの熱対策として、温度検出手段により検出された温度が許容温度を超えたときに、警告を発したり、カメラ撮影動作を制限したりするデジタルカメラが知られている。例えば、特許文献１は、温度センサによって測定された温度が許容温度（７０度）を超えると、デジタルカメラの動作のうち消費電力が高い動作である動画記録動作を停止し、デジタルカメラの動作のうち消費電力の低い動作である静止画撮影動作を実行可能に制御する技術を開示している。
【先行技術文献】
【特許文献】
【０００５】
【特許文献１】特開２００７−２８４２５号公報
【発明の概要】
【発明が解決しようとする課題】
【０００６】
特許文献１に開示された技術では、長時間動画記録を継続したいようなシーンを撮影している場合に、温度センサによって許容温度を超えた温度が検出されると、動画記録動作が急に停止してしまう。これでは、大切なシーンを記録できず、ユーザにとって不都合である。
【０００７】
本発明は上記課題を鑑みてなされたものであり、カメラ内の測定温度が上昇しても、可能な限り動画記録を継続できるようにした撮像装置を提供することを目的とする。
【課題を解決するための手段】
【０００８】
本発明にかかる撮像装置は、動画像を記録可能な撮像装置であって、撮像装置の筐体内温度を検出する温度検出部と、記録画像の画質を決定する複数の記録方式の中の一つの記録方式に基づいて動画像データを生成して記録媒体に記録する動画記録部と、動画記録部に対して設定する記録方式を制御する制御部とを備える。制御部は、温度検出部による検出結果に応じて、動画記録部に設定する記録方式を変更する。
【発明の効果】
【０００９】
本発明によれば、撮像装置の筐体内温度を考慮して動画の記録方式（動画記録モード）を制御することで、筐体内温度が上昇した場合であっても、可能な限り動画記録を実行することが可能となる。
【図面の簡単な説明】
【００１０】
【図１】デジタルカメラの前面構成図
【図２】デジタルカメラの背面構成図
【図３】デジタルカメラの電気的構成図
【図４】デジタルカメラの内部構成イメージ図
【図５】設定した動画記録モードに対する温度上昇率を説明するための図
【図６】時間経過に伴って温度上昇したときの制御を説明するための図
【図７】動画記録中における動画記録モードの変更動作のフローチャート
【図８】動画記録モードの切り替えをユーザに提案する画面のイメージ図
【図９】動画記録モード変更の判断フローチャート
【図１０】動画記録再開時における動画記録モードの変更動作のフローチャート
【発明を実施するための形態】
【００１１】
以下、添付の図面を参照して本発明の実施形態を説明する。
【００１２】
実施の形態１
以下に説明するデジタルカメラは、筐体内温度を検出し、筐体内温度の検出結果に応じて、自動的にまたはユーザ指示にしたがい、設定する動画記録モードを変更する。これにより、デジタルカメラは、カメラ内の測定温度が上昇しても、可能な限り動画記録を継続することを可能とする。
【００１３】
１．構成
以下、図面を用いて本実施の形態のデジタルカメラの構成を説明する。
【００１４】
１−１．デジタルカメラの構成
図１は、本実施の形態のデジタルカメラ１００の正面図である。デジタルカメラ１００は前面に光学系１１０を納める鏡筒や、フラッシュ１６０を備える。また、デジタルカメラ１００は上面に、レリーズ釦２０１、ズームレバー２０２、電源２０３などの操作釦を備える。
【００１５】
図２は、デジタルカメラ１００の背面図である。デジタルカメラ１００は背面に液晶モニタ１２３や、動画記録釦２０６や中央釦２０４や十字釦２０５などの操作釦を備える。
【００１６】
図３は、デジタルカメラ１００の電気的構成図である。デジタルカメラ１００は、光学系１１０を介して形成された被写体像をＣＣＤイメージセンサ１２０で撮像する。ＣＣＤイメージセンサ１２０は撮像した被写体像に基づく画像情報を生成する。ＣＣＤイメージセンサ１２０により生成された画像情報は、ＡＦＥ（アナログ・フロント・エンド）１２１や画像処理部１２２において各種処理が施される。各種処理が施された画像情報はフラッシュメモリ１４２やメモリカード１４０に記録される。フラッシュメモリ１４２やメモリカード１４０に記録された画像情報は、操作部１５０上でのユーザによる操作にしたがい液晶モニタ１２３上に表示される。以下、図１から図３に示す構成の詳細を説明する。
【００１７】
光学系１１０は、フォーカスレンズ１１１やズームレンズ１１２、絞り１１３、シャッタ１１４等により構成される。図示していないが、光学系１１０は、光学式手ぶれ補正レンズ（OIS: Optical Image Stabilizer）を含んでいてもよい。なお、光学系１１０を構成する各種レンズは何枚から構成されるものでも、何群から構成されるものでもよい。
【００１８】
フォーカスレンズ１１１は被写体のフォーカス状態の調節に用いられる。ズームレンズ１１２は被写体の画角の調節に用いられる。絞り１１３は、ＣＣＤイメージセンサ１２０に入射する光量の調節に用いられる。シャッタ１１４は、ＣＣＤイメージセンサ１２０に入射する光の露出時間を調節する。フォーカスレンズ１１１、ズームレンズ１１２、絞り１１３、シャッタ１１４は、それぞれに対応したＤＣモータやステッピングモータ等の駆動手段により、コントローラ１３０から通知された制御信号に従って駆動される。
【００１９】
ＣＣＤイメージセンサ１２０は、光学系１１０を通して形成された被写体像を撮像して画像情報を生成する。ＣＣＤイメージセンサ１２０の受光面には多数のフォトダイオードが２次元的に配列されている。また、各フォトダイオードに対応してＲ、Ｇ、Ｂの原色カラーフィルタが所定の配列構造で配置されている。撮像対象となる被写体からの光は、光学系１１０を通過した後に、ＣＣＤイメージセンサ１２０の受光面に結像され、画像情報を示す電気信号に変換され後段のＡＦＥ１２１に供給される。
【００２０】
また、ＣＣＤイメージセンサ１２０は、デジタルカメラ１００の動作モードに対応した幾つかの駆動モードに基づいて動作する。デジタルカメラ１００の動作モードとしては、再生モードと撮影モードがある。撮影モードには、静止画撮影モード、動画撮影モード、スルー画像撮影モードなどがある。
【００２１】
ＡＦＥ１２１は、ＣＣＤイメージセンサ１２０から入力した画像情報に対して、相関二重サンプリングによる雑音抑圧、アナログゲインコントローラによるＩＳＯ感度値に基づくゲインの乗算、及びＡＤコンバータによるＡＤ変換を実施する。その後、ＡＦＥ１２１は画像情報を画像処理部１２２に出力する。
【００２２】
画像処理部１２２は、ＡＦＥ１２１から出力された画像情報に対して各種の処理を施す。各種処理としては、ＢＭ（ブロックメモリ）積算、スミア補正、ホワイトバランス補正、ガンマ補正、ＹＣ変換処理、電子ズーム処理、圧縮処理、伸張処理等が挙げられるが、これらに限定されるものではない。画像処理部１２２は、ハードワイヤードな電子回路で構成してもよいし、プログラムを用いたマイクロコンピュータなどで構成してもよい。また、画像処理部１２２は、コントローラ１３０のような他の機能部とともに１つの半導体チップで構成してもよい。
【００２３】
温度センサ１６１は、デジタルカメラ１００の筐体内温度を測定する。そして、温度センサ１６１は、筐体内温度の測定結果をコントローラ１３０に通知する。ここで、デジタルカメラ１００の筐体内温度について説明する。
【００２４】
図４は、デジタルカメラ１００を背面から見た内部構成イメージ図である。図４に示すように、ＣＣＤイメージセンサ１２０は光学系１１０に対向する位置に配置されている。また、図示していないが、デジタルカメラ１００を背面から見て右側には、カードスロット１４１やバッテリケース（不図示）が配置されており、それらと対向する位置に画像処理部１２２が配置されている。また、ユーザがデジタルカメラ１００を把持するグリップ部内に温度センサ１６１が配置されている。動画像記録など、ＣＣＤイメージセンサ１２０や画像処理部１２２が動作する状態が長時間継続されると、ＣＣＤイメージセンサ１２０や画像処理部１２２は発熱する。これに伴い、デジタルカメラ１００の筐体内温度は上昇する。ＣＣＤイメージセンサ１２０および画像処理部１２２といった発熱体は、筐体の水平方向の中心を基準として概ね対称な位置に配置されている。このため、デジタルカメラ１００筐体内の温度分布は概ね左右対称となる。ユーザは、撮影時において、デジタルカメラ１００の左右の端部を両手を使って把持することが多い。よって、デジタルカメラ１００筐体内の左右のグリップ内のいずれか一方に温度センサ１６１を配置すれば、他方の測定結果も同等のものであると推定することができる。実施の形態１においては、デジタルカメラ１００を片手で保持して撮影する場合を想定し、レリーズ釦２０１やズームレバー２０２等の操作部材の集中した右手側グリップ内に温度センサを配置している。
【００２５】
液晶モニタ１２３は、デジタルカメラ１００の背面に備わる。液晶モニタ１２３は、画像処理部１２２にて処理された画像情報に基づく画像を表示する。液晶モニタ１２３が表示する画像には、スルー画像や記録画像がある。スルー画像は、ＣＣＤイメージセンサ１２０により一定時間ごとに生成されるフレームの画像を連続して表示することで得られる画像である。通常、デジタルカメラ１００が撮影モードにあるときに、画像処理部１２２は、ＣＣＤイメージセンサ１２０が生成した画像情報からスルー画像を生成する。ユーザは、液晶モニタ１２３に表示されるスルー画像を参照することにより、被写体の構図を確認しながら撮影できる。記録画像は、デジタルカメラ１００が再生モードにあるときに、メモリカード１４０等に記録された高画素の動画像や静止画像を、液晶モニタ１２３に表示するために低画素サイズに縮小して得られる画像である。
【００２６】
コントローラ１３０は、デジタルカメラ１００全体の動作を制御する。コントローラ１３０は、ハードワイヤードな電子回路で構成してもよいし、マイクロコンピュータなどで構成してもよい。また、画像処理部１２２などと共に1つの半導体チップで構成してもよい。
【００２７】
フラッシュメモリ１４２は、画像情報等を記録するための内部メモリとして機能する。また、フラッシュメモリ１４２は、オートフォーカス制御（ＡＦ制御）や自動露出制御（ＡＥ制御）、フラッシュ１６０の発光制御に関するプログラムの他、デジタルカメラ１００全体の動作を統括制御するためのプログラムを格納している。また、フラッシュメモリ１４２は、図５に示すような、設定した動画記録モード（詳細は後述）に対する温度上昇率の対応情報を格納している。コントローラ１３０は、フラッシュメモリ１４２にアクセスすることにより、設定する動画記録モードの温度上昇率を把握することができる。
【００２８】
バッファメモリ１２４は、画像処理部１２２やコントローラ１３０のワークメモリとして機能する記憶手段である。バッファメモリ１２４はＤＲＡＭ（Dynamic Random Access Memory）などで実現できる。
【００２９】
カードスロット１４１は、メモリカード１４０を着脱可能な接続手段である。カードスロット１４１は、メモリカード１４０を電気的及び機械的に接続可能である。また、カードスロット１４１はメモリカード１２０を制御する機能を備えてもよい。
【００３０】
メモリカード１４０は内部にフラッシュメモリ等の記録部を備えた外部メモリである。メモリカード１４０は画像処理部１２２で処理される画像情報などのデータを記録可能である。
【００３１】
マイク１６２は、デジタルカメラ１００の周辺の音声を集音して、音声情報を示す電気信号に変換する。電気信号に変換された音声情報は、メモリカード１４０に記録される。マイク１６２は、デジタルカメラ１００が音声記録モードや動画像記録モードに設定されたときに動作する。マイク１６２は、デジタルカメラ１００の上面に配置されるが（不図示）、配置場所はこれに限定されるものではない。
【００３２】
スピーカ１６３は、メモリカード１４０に記録された音声情報を、人に聴こえる音声に変換して発生する。スピーカ１６３は、再生モードにおいて、メモリカード１４０に記録された音声情報や、動画像情報を再生する際に動作する。スピーカ１６３は、デジタルカメラ１００の上面に配置されるが（不図示）、配置場所はこれに限定されるものではない。
【００３３】
操作部１５０は、デジタルカメラ１００の外装に備わっている操作釦や操作レバーの総称であり、ユーザによる操作を受け付ける。例えば、図１や図２に示したレリーズ釦２０１、ズームレバー２０２、電源釦２０３、中央釦２０４、十字釦２０５、動画記録釦２０６などを含む。操作部１５０はユーザによる操作を受け付けると、コントローラ１３０に種々の動作指示信号を通知する。
【００３４】
レリーズ釦２０１は、半押し状態と全押し状態の二段階の状態を取り得る押下式釦である。レリーズ釦２０１がユーザにより半押しされると、コントローラ１３０は、オートフォーカス（ＡＦ：Auto Focus）制御や、自動露出（ＡＥ：Auto Exposure）制御を実行し撮影条件を決定する。続いて、レリーズ釦２０１が、ユーザにより全押しされると、コントローラ１３０は、全押しのタイミングにＣＣＤイメージセンサ１２０により生成された画像情報を静止画像としてメモリカード１４０等に記録する。
【００３５】
ズームレバー２０２は画角調節についての広角端と望遠端を有する中央位置自己復帰式のレバーである。ズームレバー２０２は、ユーザにより操作されるとコントローラ１３０にズームレンズ１１２を駆動するための動作指示信号を通知する。すわなち、ズームレバー２０２が広角端に操作されると、コントローラ１３０は、被写体を広角で捉えられるようにズームレンズ１１２を駆動する。同様に、ズームレバー２０１が望遠端に操作されると、コントローラ１３０は、被写体を望遠で捉えられるようにズームレンズ１１２を駆動する。
【００３６】
電源釦２０３は、デジタルカメラ１００を構成する各部への電力供給をＯＮ/ＯＦＦするための押下式釦である。電源ＯＦＦ時に電源釦２０３がユーザにより押下されると、コントローラ１３０はデジタルカメラ１００を構成する各部に電力を供給し、起動させる。また、電源ＯＮ時に電源釦２０３がユーザにより押下されると、コントローラ１３０は各部への電力供給を停止する。
【００３７】
動画記録釦２０６は、押下式釦である。デジタルカメラ１００が撮影モードにあって、液晶モニタ１２３がスルー画像を表示して撮影待機状態にあるときに、動画記録釦２０６が押下されることにより、コントローラ１３０は動画記録動作を開始する。動画記録動作が開始されると、指定された動画記録モードに従って、ＣＣＤイメージセンサ１２０および画像処理部１２２は動画像情報を生成する。またこのとき、マイク１６２は音声を集音して音声情報を生成する。そして、画像処理部１２２は、生成された動画像情報および音声情報を所定の動画記録フォーマットに従って多重化処理して、音声付の動画像情報を生成する。コントローラ１３０は、生成されてくる音声付の動画像情報をメモリカード１４０に記録していく。また、デジタルカメラ１００が動画像撮影状態にあるときに、動画記録釦２０６が押下されることにより、コントローラ１３０は動画記録動作を終了する。
【００３８】
中央釦２０４は、押下式釦である。デジタルカメラ１００が撮影モードあるいは再生モードにあるときに、中央釦２０４がユーザにより押下されると、コントローラ１３０は液晶モニタ１２３にメニュー画面を表示する。メニュー画面は、撮影/再生のための各種条件を設定するための画面である。各種条件の設定項目が選択されているときに押下されると、中央釦２０４は決定釦としても機能する。
【００３９】
十字釦２０５は、上下左右方向に設けられた押下式釦である。ユーザは、十字釦２０５のいずれかの方向を押下することにより、液晶モニタ１２３に表示される各種の項目を選択することができる。
【００４０】
１−２．動画記録モード
本実施形態のデジタルカメラ１００は、記録する動画の画質やサイズを設定するための複数の動画記録モードを有する。動画記録モードは操作部１５０を介してユーザが指定（設定）できる。コントローラ１３０は、撮影モードにおける動画記録動作の際に、ＣＣＤイメージセンサ１２０や画像処理部１２２に対して、操作部１５０を介して指定された、記録する動画の画質を決定するための動画記録モードを設定する。動画記録モードは、高画質で動画記録できる第一の動画記録モードから、低画質で動画記録する第四の動画記録モードまで複数用意されている。図５は、各動画記録モードに対する筐体内の温度上昇率を説明するための図である。なお、図５は、デジタルカメラ１００の筐体が所定の基準温度（例えば、２７゜Ｃ）にある状態で、各動画記録モードで動作させた場合の、各動画記録モードと筐体の温度上昇率との関係を示している。
【００４１】
第一の動画記録モードにおいては、ＣＣＤイメージセンサ１２０は、フルハイビジョンサイズ（１９２０ドット×１０８０ドット）の画像を、プログレッシブ方式により毎秒６０フレーム出力する。そして、画像処理部１２２は出力画像を圧縮処理する。
【００４２】
第二の動画記録モードにおいては、ＣＣＤイメージセンサ１２０は、フルハイビジョンサイズの画像を、プログレッシブ方式により毎秒６０フレーム出力する、そして、画像処理部１２２は、出力画像をインターレース方式にしたがい間引き処理をした後、圧縮処理する。
【００４３】
第三の動画記録モードにおいては、ＣＣＤイメージセンサ１２０は、ハイビジョンサイズ（１２８０ドット×７２０ドット）の画像を、プログレッシブ方式により毎秒６０フレーム出力する。そして、画像処理部１２２は出力画像を圧縮処理する。
【００４４】
第四の動画記録モードにおいては、ＣＣＤイメージセンサ１２０は、ハイビジョンサイズの画像を、プログレッシブ方式により毎秒３０フレーム出力する。そして、画像処理部１２２は出力画像を圧縮処理する。
【００４５】
より高画質で動画記録できるモードでは、ＣＣＤイメージセンサ１２０や画像処理部１２２の動作処理負荷が大きいため、発熱量が多く、デジタルカメラ１００の筐体内温度の上昇率がより高くなる。より低画質で動画記録するモードになるほど、それだけＣＣＤイメージセンサ１２０や画像処理部１２２の動作処理負荷が小さくなり、発熱量が小さくなるため、筐体内温度の上昇率は負の値となり、低画質で動画記録するモードで動作を続けると、筐体内の温度は基準温度から低下する傾向となる。
【００４６】
すなわち、第一の動画記録モードは、高画質で動画記録できる反面、筐体内の温度上昇率は高くなる。第二の動画記録モードは、間引き処理後の出力画像を圧縮処理するため、第一の動画記録モードに比べて、画像処理部１２２の圧縮処理にかかる負荷が低減される。このため、筐体内の温度上昇率は第一の動画記録モードに比べてやや低くなる。第三の動画記録モードは、第一及び第二の動画記録モードに比べて画像の出力サイズが小さいため、ＣＣＤイメージセンサ１２０の出力動作負荷および画像処理部１２２の圧縮処理負荷が低減され、第一及び第二の動画記録モードに比べて筐体内温度の上昇率はやや下降傾向になっている。第四の動画記録モードは低画質の動画記録設定であり、出力フレームレートが他の動画記録モードに比べてより少なくなっている。このため、更にＣＣＤイメージセンサ１２０の出力動作負荷および、画像処理部１２２の圧縮処理負荷が低減され、筐体内温度の上昇率が下降するようになっている。なお、図５に示すような動画記録モードと温度上昇率の関係は一例であり、デジタルカメラ１００の筐体サイズや、ＣＣＤイメージセンサ１２０や画像処理部１２２の仕様等により変化するということは言うまでもない。本実施の形態では、図５に示すような関係を前提として以下の説明を行う。なお、ユーザにより、動画記録動作を開始する前に予め所望の動画記録モードをコントローラ１３０に設定しておくこともできる。
【００４７】
第一及び第二の動画記録モードは、温度上昇率が比較的高いことから、通常の動作環境でそれらのモードで継続して動画記録動作を実行した場合、筐体温度は上昇を続け、やがて、所定の閾値温度（記録停止温度）に到達する。一方、第三及び第四の動画記録モードは、温度上昇率が比較的低いことから、それらのモードで継続して動画記録動作を実行しても、筐体温度は所定の閾値温度（記録停止温度）には到達しない。ここで、記録停止温度とは、コントローラ１３０が強制的に記録動作を停止させる制御を行う際の筐体内温度である（詳細は後述）。つまり、動画記録モードは、温度上昇率の高いモード、すなわち、そのモードで継続して動画記録動作を実行したときに筐体内温度が上昇するモード（第一及び第二の動画記録モード）と、温度上昇率の低いモードすなわち、すなわち、そのモードで継続して動画記録動作を実行したときに筐体内温度が上昇しないモード（第三及び第四の動画記録モード）に分類される。
【００４８】
動画記録モードは、ユーザにより操作部１５０を介してなされた指示にしたがい、または、コントローラ１３０により自動的に設定される。
【００４９】
１−３．本発明との対応関係
温度センサ１６１は温度検出部の一例である。ＣＣＤイメージセンサ１２０、画像処理部１２２及びコントローラ１３０は、動画記録部の一例である。メモリカード１４０は記録媒体の一例である。液晶モニタ１２３は表示部の一例である。コントローラ１３０は、演算部、表示制御部または記録制御部、記録停止部の一例である。デジタルカメラ１００は撮像装置の一例である。
【００５０】
２．動作
本実施形態のデジタルカメラ１００の動画記録の時間経過に伴って温度上昇したときの制御動作について説明する。図６は、時間経過に伴って温度上昇したときの制御を説明するための図である。図６は、横軸が時間経過を意味しており、縦軸が温度上昇を意味している。
【００５１】
コントローラ１３０は、温度に関する閾値として、ワーニング温度（第１の閾値）と記録停止温度（第２の閾値）とを予め定めている。記録停止温度（第２の閾値）は、温度上昇に伴うデジタルカメラ１００の制御上又は操作上の不具合を回避するために動画記録を強制的に停止させるか否かを判断する際の判断基準となる温度である。ワーニング温度（第１の閾値）は、記録停止温度にまもなく到達する旨を伝える警告を出力するか否かを判断する際の判断基準となる温度である。
【００５２】
動画記録動作を開始すると、ＣＣＤイメージセンサ１２０や画像処理部１２２の発熱に伴いデジタルカメラ１００の筐体内温度は上昇する。やがて、筐体内温度はワーニング温度を超えて記録停止温度（第２の閾値）に到達する。このとき、ユーザが動画撮影中であっても、コントローラ１３０は動画記録を強制的に停止する。
【００５３】
しかしながら、長時間動画記録を継続したいようなシーンをユーザが動画撮影している場合に、温度センサによって測定された温度が許容温度を超えたからといって、動画記録動作を停止してしまうのでは、大切なシーンを満足に記録しきれず、ユーザにとって不都合である。そのため、実施の形態１に係るデジタルカメラ１００は、筐体内の測定温度が上昇しても、可能な限り動画記録を継続できるよう動画記録モードを変更する。
【００５４】
２−１．動画記録動作中の動画記録モードの変更動作
図７は、動画記録動作中の動画記録モードの変更動作を示したフローチャートである。まず、コントローラ１３０は、撮影待機状態における動画記録釦２０６の押下操作を受け付けると、動画記録動作を開始する（Ｓ４００）。動画記録動作は、筐体内温度、メモリカード１４０の記録容量、バッテリ残量等に問題ない限り、動画記録釦２０６の再度の押下操作を受け付けるまで継続する（Ｓ４０１）。
【００５５】
動画記録動作（Ｓ４０１）中において、コントローラ１３０はデジタルカメラ１００の筐体内温度に基づいて動画記録モードの変更の要否を判断する（Ｓ４０２）。具体的には、デジタルカメラ１３０の筐体内温度が比較的高いとき（すなわち、記録停止温度に近づいたとき）は、デジタルカメラ１００の温度が下降するような動画記録モードへの変更が必要であると判断する。また、デジタルカメラ１３０の筐体内温度が比較的低く、かつ、温度上昇しない、低画質での記録を行う動画記録モードが設定されている場合は、高画質な記録を可能とする動画記録モードへの変更が必要であると判断する。それ以外の場合は動画記録モードの変更は不要であると判断する。この動画記録モードの変更の判断の詳細は後述する。
【００５６】
ステップＳ４０２において動画記録モードの変更が必要ないと判断された場合は（Ｓ４０３におけるＮＯ）、コントローラ１３０の制御はステップＳ４０１に戻り、動画記録を継続する。一方、ステップＳ４０２において動画記録モードの変更が必要であると判断された場合は（Ｓ４０３におけるＹＥＳ）、コントローラ１３０は、動画記録モードの変更をユーザに提案する画面を液晶モニタ１２３に表示するよう制御する（Ｓ４０４）。図８に、動画記録モードの変更をユーザに提案する画面の一例を示す。図８に示すように、液晶モニタ１２３は、まもなく動画記録が停止する旨のメッセージと、低画質動画記録モードに切り替えて引き続き動画記録を行うか否かを問い合わせるメッセージとを表示する。ユーザは、十字釦２０５の左右キーにて「はい」「いいえ」のいずれかを選択し、中央釦２０４を押下することによりその選択を決定する。
【００５７】
続いて、コントローラ１３０は、提案した動画記録モードの変更をユーザが承諾したか否かを判断する（Ｓ４０５）。提案した動画記録モードの変更をユーザが承諾したと判断した場合（Ｓ４０５におけるＹＥＳ）、コントローラ１３０は、動画記録モードを、提案した動画記録モードに変更する。そして、コントローラ１３０の動作はステップＳ４０１に戻る。一方、提案した動画記録モードをユーザが採用しなかったと判断した場合（Ｓ４０５におけるＮＯ）、コントローラ１３０は、ステップＳ４０４において提案された動画記録モードが温度上昇する動画記録モード（第一または第二の動画記録モード）であるか否かを判断する（Ｓ４０７）。
【００５８】
提案された動画記録モードが温度上昇する動画記録モードであった場合（Ｓ４０７におけるＹＥＳ）、コントローラ１３０の動作はステップＳ４０１に戻り、動画記録を継続する。温度上昇する動画記録モードへの変更の提案を採用していないことから、コントローラ１３０は温度上昇しない動画記録モードに設定されている。この場合、動画記録動作が継続されても、筐体内温度は記録停止温度に達しないため、同じ動画記録モードで動画記録を継続するように制御される。
【００５９】
一方、提案された動画記録モードが温度上昇する動画記録モードでなかった場合（Ｓ４０７におけるＮＯ）、コントローラ１３０は動画記録動作を停止する（Ｓ４０８）。温度上昇しない動画記録モード（すなわち、温度が降下する動画記録モード（第三または第四の動画記録モード））への変更が提案されていたにもかかわらず、その提案を採用していない場合、筐体内温度はやがて記録停止温度に達するおそれがある。このため、筐体内温度が記録停止温度に達するのを防止するため、動画記録動作を停止させるように制御している。
【００６０】
２−１−１．動画記録モードの変更の判断処理
次に、ステップＳ４０２における動画記録モードの変更の判断処理についての詳細を説明する。図９は、動画記録モード変更の判断処理のフローチャートである。
【００６１】
まず、コントローラ１３０は、デジタルカメラ１００の筐体内温度がワーニング温度（第１の閾値）以上であるか否かを判断する（Ｓ５００）。筐体内温度がワーニング温度以上であった場合（Ｓ５００におけるＹＥＳ）、コントローラ１３０は設定中の動画記録モードが、温度上昇する動画記録モード（温度上昇率の高い動画記録モード）であるか否かを判断する（Ｓ５０１）。
【００６２】
設定中の動画記録モードが、温度上昇する動画記録モードでない場合（Ｓ５０１におけるＮＯ）、コントローラ１３０は動画記録モードを変更しないと決定する。これは、設定中の動画記録モードが温度上昇する動画記録モードでないときは、動画記録動作を継続しても筐体内温度が記録停止温度に達することがないことから、モードの変更は不要であると考えられるからである。
【００６３】
一方、設定中の動画記録モードが温度上昇する動画記録モードである場合（Ｓ５０１におけるＹＥＳ）、コントローラ１３０は動画記録モードを変更すると決定する（Ｓ５０３）。つまり、コントローラ１３０は、温度上昇しない動画記録モードに変更すると決定する。これは、温度上昇する動画記録モードで記録動作を継続した場合、筐体内温度はやがて記録停止温度に到達するおそれがあり、温度上昇しない動画記録モードに変更することで、筐体温度の降下が期待できるからである。この場合、第三及び第四の動画記録モードのいずれに変更してもよいが、より高画質である第三の動画記録モードに変更することが好ましい。
【００６４】
一方、ステップＳ５００の判断において、筐体内温度がワーニング温度（第１の閾値）より低い場合（Ｓ５００におけるＮＯ）、現在設定されている動画記録モードが、図７に示す動作フローの処理のループ過程において、温度上昇しない動画記録モードに変更されたものであるか否かを判断する（Ｓ５０４）。具体的には、当初、温度上昇するものの高画質な動画記録ができるモードが設定されていたにも関わらず、筐体内温度の状況に応じて、温度の上昇は抑制されるものの低画質な動画記録モード（第三及び第四の動画記録モード）に変更されたか否かを判断する。
【００６５】
温度上昇しない動画記録モードに変更されていない場合（Ｓ５０４におけるＮＯ）、コントローラ１３０は動画記録モードを変更しないと決定する（Ｓ５０５）。この一例として、当初、高画質の動画記録モード（温度上昇する動画記録モード）が設定され、動画記録モードがそのまま変更されていない場合が該当する。また、当初から低画質の動画記録モード（温度上昇しない動画記録モード）が設定されていた場合もこの例に該当する。
【００６６】
ステップＳ５０４の判断において、温度上昇しない動画記録モードに変更されていた場合（Ｓ５０４におけるＹＥＳ）、温度上昇はするが、より高画質な動画記録モードに変更すると決定する（Ｓ５０６）。このように決定する理由は、現在の筐体内温度がワーニング温度閾値以下であることから、高画質な動画記録モードに変更したとしても、記録停止温度に到達するまでに時間的に余裕があると考えられるからである。
【００６７】
以上のようにデジタルカメラ１００の筐体内温度を考慮して適宜動画記録モードを制御することで、筐体内温度が上昇した場合であっても、可能な限り動画記録を実行することが可能となる。
【００６８】
２−２．動画記録再開時における動画記録モード変更動作
動画記録再開時における動画記録モード変更動作について説明する。図１０は、動画記録再開時における動画記録モード変更動作のフローチャートである。
【００６９】
コントローラ１３０は、撮影待機状態において動画記録釦２０６が押下されたか否かを監視している（Ｓ６０１）。ユーザにより動画記録釦２０６が押下された場合（Ｓ６０１におけるＹＥＳ）、コントローラ１３０は動画記録モードの変更を判断する（Ｓ６０２）。このステップ６０２における動画記録モードの変更の判断処理は、図９を用いて既に説明した処理（ステップＳ５００〜Ｓ５０６）と同様であるため、ここでの説明を省略する。なお、動画記録動作の停止、開始が連続して繰り返された場合、ＣＣＤイメージセンサ１２０や画像処理部１２２の温度が高い状態で動画記録動作が開始され、動画記録動作の開始時の筐体内温度がワーニング温度（第１の閾値）を上回っている場合がある。このようなときは、図９のフローチャートのステップＳ５００において「ＹＥＳ」の判断となる。また、当初は高画質の動画記録モード（温度上昇する動画記録モード）を設定していたにも関わらず、直前の動画記録動作時において低画質の動画記録モード（温度上昇しない動画記録モード）に変更されていた場合は、現動画記録再開時において高画質の動画記録モードに再度変更（戻す）ことができる（Ｓ５０６）。
【００７０】
ステップ６０２において動画記録モードを変更しないと判断した場合は（ステップＳ６０３におけるＮＯ）、コントローラ１３０は動画記録を開始する（Ｓ６０７）。ステップ６０２において動画記録モードを変更すると判断した場合は（ステップＳ６０３におけるＹＥＳ）、コントローラ１３０は、液晶モニタ１２３に、動画記録モード変更の提案を表示するよう制御する（Ｓ６０４）。ステップＳ６０４における動作はステップＳ４０４における動作と同様であるため、説明を省略する。
【００７１】
提案した動画記録モードが採用された場合（Ｓ６０５におけるＹＥＳ）、コントローラ１３０は、動画記録モードを提案した動画記録モードに変更する（Ｓ６０６）。そして、コントローラ１３０は動画記録を開始する（Ｓ６０７）。
【００７２】
一方、提案した動画記録モードが採用されなかった場合（Ｓ６０５におけるＮＯ）、コントローラ１３０は、筐体内温度が上昇する動画記録モードがステップＳ６０４において提案されていたか否かを判断する（Ｓ６０８）。
【００７３】
筐体内温度が上昇する動画記録モードが提案されていた場合（Ｓ６０８におけるＹＥＳ）、コントローラ１３０は動画記録動作を開始する（Ｓ６０７）。この理由を以下に説明する。提案された、筐体内温度が上昇する動画記録モードを採用しなかったため、コントローラ１３０は、筐体内温度が上昇しない動画記録モードに設定されている。この場合、動画記録動作を継続しても、筐体内温度は記録停止温度に達することがないため、動画記録動作を開始するように制御する。
【００７４】
一方、筐体内温度が上昇する動画記録モードが提案されていなかった場合（Ｓ６０８におけるＮＯ）、コントローラ１３０は動画記録動作を開始せず、動画記録釦押下の待機状態（Ｓ６０１）に戻る。この理由を以下に説明する。筐体内温度が上昇する動画記録モードが提案されていない場合は、温度上昇しない動画記録モードが提案されている。よって、この提案を採用しない場合、コントローラ１３０は筐体内温度が上昇する動画記録モードに設定されている。この場合、動画記録動作を継続することで、やがて筐体内温度は記録停止温度に達するおそれがある。よって、この場合、筐体内温度が記録停止温度に達することを防止するため、動画記録動作を開始しないように制御する。
【００７５】
以上のように、本実施形態のデジタルカメラ１００によれば、動画記録中および動画記録再開時において、動画記録モードの温度上昇率を考慮しつつ、コントローラ１３０が筐体内温度に応じて、好適な動画記録モードを設定することができる。これにより、デジタルカメラ１００の筐体内温度が上昇しても、可能な限り動画記録を実行することを可能としている。
【００７６】
３．まとめ
以上のように、実施の形態１に係るデジタルカメラ１００は、筐体内温度を検出する温度センサ１６１と、記録画像の画質を決定する複数の動画記録モードの中の一つのモードに基づいて動画像データを生成してメモリカード１４０に記録する、ＣＣＤイメージセンサ１２０および画像処理部１２２及びコントローラ１３０の組み合わせ（以下「動画記録部」と称す。）と、動画記録部に設定する動画記録モードを制御するコントローラ１２０と、を備える。コントローラ１２０は、温度センサ１６１による検出結果に応じて、動画記録部に設定する記録方式を変更する。この構成により、デジタルカメラ１００は、筐体内温度を考慮して、動画記録部に設定する動画記録モードを適宜制御することができ、カメラ内の温度が上昇しても、可能な限り継続して動画記録を実行することが可能となる。
【００７７】
また、上記実施の形態１に係るデジタルカメラ１００において、コントローラ１２０は、動画記録部による動画像データの記録動作中において、筐体内温度の検出結果に応じて、動画記録部に設定する動画記録モードを変更する。これにより、デジタルカメラ１００は、動画像データの記録動作中において、筐体内温度の検出結果を考慮して、動画記録部に設定する動画記録モードを制御することができる。従って、デジタルカメラ１００は、筐体内温度を考慮して、動画像データの記録動作を継続することができる。
【００７８】
また、上記実施の形態１に係るデジタルカメラ１００において、コントローラ１２０は、動画記録部が動画像データの記録動作を開始する時に、筐体内温度の検出結果に応じて、動画記録部に設定する動画記録モードを変更する。これにより、デジタルカメラ１００は、動画像データの記録動作の開始時に、筐体内温度の検出結果を考慮して、動画記録部に設定する動画記録モードを制御することができる。従って、デジタルカメラ１００は、筐体内温度の検出結果を考慮して、動画像データの記録動作を開始することができる。
【００７９】
また、上記実施の形態１に係るデジタルカメラ１００において、コントローラ１３０は、撮影モードを動的に変更する。これにより、デジタルカメラ１００は、筐体内温度の検出結果を考慮して、動的に動画記録モードを変更することができる。
【００８０】
また、上記実施の形態１に係るデジタルカメラ１００において、コントローラ１３０は、動画記録モードを変更する前に、ユーザに対して動画記録モードの変更を提案する表示を液晶モニタ１２３に表示してもよい。これにより、デジタルカメラ１００は、筐体内温度の検出結果を考慮して撮影モードを変更する前に、ユーザに対して動画記録モードの変更を提案できるので、ユーザは撮影モードが変更される前に予め変更を把握することができる。
【００８１】
４．他の実施の形態
本発明の実施形態は上記実施の形態１に限定されず、他の種々の実施形態が考えられる。以下、他の実施の形態についてまとめて記載する。
【００８２】
上記実施の形態において、ＣＣＤイメージセンサ１２０を、撮像部の一例として説明したが、本発明の思想はこれに限定されない。すなわち、撮像素子はＣＭＯＳイメージセンサやＮＭＯＳイメージセンサなど他の撮像素子であってもよい。
【００８３】
上記実施の形態において、コントローラ１３０は、液晶モニタ１２３に動画記録モード変更の提案を表示し（図７におけるＳ４０４、図１０におけるＳ６０４）、提案した動画記録モードがユーザにより採用されたか否かを判断した（図７におけるＳ４０５、図１０におけるＳ６０５）。このような制御の代わりに、動画記録モードを変更すると判断された場合に（図７におけるＳ４０２、図１０におけるＳ６０２）、コントローラ１３０は、モード変更の提案をすることなく、自動的に動画記録モードを変更するようにしてもよい。
【００８４】
なお、本発明の思想は、レンズ一体型のカメラであっても、レンズ交換式のカメラであっても適用可能である。また、本発明の思想は、デジタルカメラに加えて、ムービーカメラ、カメラ付き情報端末などの動画記録が可能な撮像装置に適用可能である。
【産業上の利用可能性】
【００８５】
本発明は、デジタルカメラ、ムービーカメラ、カメラ付き情報端末などの動画記録が可能な撮像装置に有用である。
【符号の説明】
【００８６】
１００…デジタルカメラ
１１１…フォーカスレンズ
１１２…ズームレンズ
１１３…絞り
１１４…シャッタ
１２０…ＣＣＤイメージセンサ
１２１…ＡＦＥ（アナログ・フロント・エンド）
１２２…画像処理部
１２３…液晶モニタ
１２４…バッファメモリ
１３０…コントローラ
１４０…メモリカード
１４１…カードスロット
１４２…フラッシュメモリ
１５０…操作部
１６０…フラッシュ
１６１…温度センサ
１６２…マイク
１６３…スピーカ
２０１…レリーズ釦
２０２…ズームレバー
２０３…電源釦
２０４…中央釦
２０５…十字釦
【図１】
2012165373.tif 000003
【図２】
2012165373.tif 000004
【図３】
2012165373.tif 000005
【図４】
2012165373.tif 000006
【図５】
2012165373.tif 000007
【図６】
2012165373.tif 000008
【図７】
2012165373.tif 000009
【図８】
2012165373.tif 000010
【図９】
2012165373.tif 000011
【図１０】
2012165373.tif 000012